(57)【要約】【課題】本発明は、伸縮式ボ−ルペンの、最長伸張時における筆記作業においては先軸部と後軸部は互いに縮小方向に移動せず、安定した状態で筆記作業のできるものを提供しようとするものである。【解決手段】伸縮式ボ−ルペン本体において、先軸部の後軸部との摺動面の終端部に緊合部を設けて、最大の伸張時には先軸部の段差部が緊合部に緊入或は嵌合して不用意に伸縮移動しないようにし、縮小操作初期にはより強く押圧して緊合部と段差部の緊入或は嵌合を解離自在とした伸縮式ボールペン。【選択図】  図１
2004148711.tif 000002
【特許請求の範囲】
【請求項１】
先軸部と、該先軸部に摺動自在に嵌合或は嵌入して互いの段差位置まで伸縮調整自在の後軸部とよりなり、先軸部は、口金を螺着した先軸本体と、該先軸本体に固定台座部を介して内設した芯筒に挿脱自在に緊入して口金より芯先を突出自在としたボールペンリフィルと、該ボールペンリフィルと口金の間にコイルバネを介してボールペンリフィルの芯先を隠蔽する位置まで突出自在とした摺動先金と、芯筒の固定台座部を貫遊し先端を摺動先金に接しコイルバネに抗して押圧自在とした押圧杆と、芯筒の先端部或は固定台座部と後述の後軸天冠が突合係止する掛止部とよりなり、摺動先金は隠蔽部と後端に口金の内径よりも多きい径の鍔部を有する摺動部とに分かれ、鍔部は押圧杆により押し出し自在になっていると共に隠蔽部は芯先の露呈距離迄引っ込み自在となっており、口金の端部と鍔部との空間に前記コイルバネが装填しており、
後軸部は、先軸本体に押入し押圧杆を押圧自在な後軸本体と、前記芯筒の先端部或は固定台座部に突合係止する掛止部を設けた後軸天冠とよりなり、後軸本体の先軸本体への押入操作により押圧杆、摺動先金を押圧自在とすると共に、芯筒の先端部或は固定台座部と後軸天冠の掛止部は押入位置において突合係止自在とした伸縮式ボ−ルペン本体において、
先軸部の後軸部との摺動面の終端部に緊合部を設けて、最大の伸張時には後軸部或は先軸部の段差部が緊合部に緊入或は嵌合して不用意に移動しないようにし、縮小操作初期にはより強く押圧して緊合部と段差部の緊入或は嵌合を解離自在とした伸縮式ボールペン。
【発明の詳細な説明】
【０００１】
【産業上の利用分野】
本発明は伸縮式ボ−ル−ペンの改良に関する。
【０００２】
【従来技術及びその欠点】
従来伸縮式のボ−ルペンは、最長伸張時において単に互いの段差部が係止するのみであった。そのため、伸張時における筆記作業においては先軸部と後軸部は互いに縮小方向に移動してしまい書きにくくなる恐れがあった。
【０００３】
【発明が解決しようとする課題】
そこで本発明は、伸縮式ボ−ルペンの、最長伸張時における筆記作業においては先軸部と後軸部は互いに縮小方向に移動せず、安定した状態で筆記作業のできるものを提供しようとするものである。
【０００４】
【実施例】
本発明を図示の実施例により詳記すると、先軸部１、該先軸部１内に摺動自在に嵌入して互いの段差２、３位置まで伸縮調整自在の後軸部４とよりなり、先軸部１は、口金５を螺着した合成樹脂製，金属製等の先軸本体６と、該先軸本体６に固定台座部１１を介して内設し、後述の後軸本体２３方向に伸びる合成樹脂製等の芯筒７に挿脱自在に緊入して口金５より芯先８’を突出自在としたボールペンリフィル８と、該ボールペンリフィル８と口金５の間にコイルバネ９を介してボールペンリフィル８の芯先８’を隠蔽する位置まで突出自在とした摺動先金１０と、芯筒７の固定台座部１１の貫通孔１２を貫遊し先端を摺動先金１０に接しコイルバネ９に抗して押圧自在とした短い押圧杆１３と、芯筒７の先端部に固定し後述の後軸天冠１４の掛止凸部１５が突合係止する合成樹脂製の掛止部１６とよりなる。
【０００５】
この掛止部１６は後述の後軸本体２３の内側に摺接し、又先軸部１における先軸本体６の段差２部は後軸本体２３の外周に摺接し、後軸部４における後軸本体２３の段差３部は先軸本体６の内周に摺接している。
【０００６】
摺動先金１０は隠蔽部１７と後端に口金５の内径よりも大きい径の鍔部１８を有する合成樹脂製等の摺動部１９とに分かれ、隠蔽部１７と摺動部１９との接合部にできた段差２０と口金５の内側段差２１が掛止自在となっていて、鍔部１８は押圧杆１３に突合して押し出し自在になっていると共に隠蔽部１７は芯先８’の露呈距離迄引っ込み自在となっており、口金５の端部と鍔１８とによって形成された空間２２に前記コイルバネ９が装填してある。
【０００７】
後軸部４は、先軸本体６内に押入して押圧杆１３を押圧自在な後軸本体２３と、前記掛止部１６に止着自在の掛止凸部１５を設けた後軸天冠１４とよりなり、後軸本体２３の先軸本体６への押入操作により押圧杆１３、摺動先金１０を押圧自在とすると共に、後軸天冠１４の掛止凸部１５は、芯筒７の先端部と後軸天冠１４の掛止部１６は押入位置において突合係止自在として伸縮式ボ−ルペン本体を構成している。図中２４はクリップ、２５は先軸本体６の後端に周設した補強リングである。
【０００８】
上記伸縮式ボールペンにおいて、先軸本体６と後軸本体２３との摺動面における先軸本体６の終端部に、緊合部２５を周設して、最大の伸張時には後軸本体２３の段差部３が緊合部２５と段差２の間に嵌合し不用意に移動しないよう西になっており、初期の縮小操作にはより強く押圧して緊合部２５と段差部３の嵌合を解離させ，スムーズな伸縮操作の出来るようにしたものである。
【０００９】
図３、４の実施例の伸縮式ボールペンは、先軸部１に後軸部４が冠合するようにしたもので、この場合は後軸本体２３の先にリング２７を固定し、該リング２７の内周奥端部を傾斜させて緊合部２６とし先軸本体６の後端部に設けた羽スプリング２８を段差３として緊合部２６に緊入するようにしたものである。
【００１０】
これを更に詳細に説明すると、先軸部１と、該先軸部１に摺動自在に冠入して羽スプリング２８、リング２７によって形成される互いの段差２，３位置まで伸縮調整自在の後軸部４とよりなり、先軸部１は、口金を螺着した先軸本体６と、該先軸本体６の後端部の固定台座部１１に固定の芯筒７に挿脱自在に緊入して口金５より芯先８’を突出自在としたボールペンリフィル８と、該ボールペンリフィル８と口金５の間にコイルバネ９を介してボールペンリフィル８の芯先８’を隠蔽する位置まで突出自在とした摺動先金１０と、芯筒７の固定台座部１１を貫遊し先端を摺動先金１０に接しコイルバネ９に抗して押圧自在とした押圧杆１３と、芯筒７が固定されている固定台座部１１に設けた磁石２９と後述の後軸天冠１４に設けた鉄片３０が突合し磁着係止するようになっている。
【００１１】
摺動先金１０は隠蔽部１７と後端に口金５の内径よりも多きい径の鍔部１８を有する摺動部１９とに分かれ、鍔部１８は押圧杆１３により押し出し自在になっていると共に隠蔽部１７は芯先８’の露呈距離迄引っ込み自在となっており、口金５の端部と鍔部１８との空間に前記コイルバネ９が装填してある。
【００１２】
後軸部４は、先軸本体６に押入し押圧杆１３を押圧自在な後軸本体２３と、前記芯筒７の固定台座部１１に設けた磁石２９に突合係止する鉄片３０を掛止部１６とした設けた後軸天冠１４とよりなり、後軸本体２３の先軸本体６への押入操作により押圧杆１３、摺動先金１０を押圧自在とすると共に、芯筒７の固定台座部１１の磁石２９と後軸天冠１４の鉄片３０は押入位置において突合係止自在としてある。
【００１３】
この伸縮式ボールペン本体において、後軸本体２３の先にリング２７を固定し、該リング２７の内周奥端部を傾斜させて緊合部２６とし先軸本体６の後端部に設けた羽スプリング２８を段差３として緊合部２６に緊入するようにし、最大の伸張時には後軸部の羽スプリング２７が段差部３として緊合部２０に緊入して容易に移動しないように緊締し、縮小操作初期にはより強く押圧して緊合部２０と段差部３の緊入を解離自在としてある。
【００１４】
尚口金５と摺動先金１０の隠蔽部１７、鍔部１８との離間距離、コイルバネ９の長さ、押圧杆１３の長さ、芯筒７、ボールペンリフィル８の長さ等は互いの相対関係において決定する。
【００１５】
【作用】
本発明は以上の如く具現されるもので、これを使用するには図２、図５の縮小状態から図１、４の伸張状態にするには後軸本体２３を後方に引いて先軸本体６との係止を強制的に解き、後方に引くことにより、押圧杆１３と後軸本体２３の押圧が解けコイルバネ９によって摺動先金１０が内方に押し入れられ、同時にボールペンリフィル８の芯先８’が露出し、筆記状態になる。
【００１６】
最大の伸張時には先軸部１の段差部３が緊合部２６に緊入或は嵌合して容易に伸縮移動しないようになり、筆記作業時に不用意に縮小しないでスムーズな筆記作業ができ、縮小操作初期にはより強く押圧して緊合部２６と段差部３の緊入或は嵌合を解離自在として伸縮操作をする。
【００１７】
【効果】
本発明は叙上の如く、伸縮式ボールペンにおいて、先軸部の後軸部との摺動面の終端部に緊合部を設けて、最大の伸張時には後軸部或は先軸部の段差部が緊合部に緊入或は嵌合して不用意に伸縮移動しないようにしてあるので筆記作業時に不用意縮小したりすることなく安定した筆記ができ、又縮小操作初期にはより強く押圧して緊合部と段差部の緊入或は嵌合を解離自在としたのでスムーズな伸縮操作ができる。
【図面の簡単な説明】
【図１】本発明ボ−ルペンの伸張時における断面図。
【図２】本発明ボールペンの縮小時における断面図。
【図３】図１におけるＡ部の拡大断面説明図
【図４】他実施例に係る本発明ボ−ルペンの伸張時における断面図。
【図５】他実施例に係る本発明ボールペンの縮小時における断面図。
【図６】図４のＢ部拡大断面説明図
【符号の説明】
１は先軸部
２は段差
３は段差
４は後軸部
５は口金
６は先軸本体
７は芯筒
８はボールペンリフィル
９はコイルバネ
１０は摺動先金
１１は固定台座部
１３は押圧短杆
１４は後軸天冠
１５は掛止凸部
１６は掛止凹部
１７は隠蔽部
１８は鍔
１９は摺動部
２０は段差
２１は段差
２２空間
２３は後軸本体
２４はクリップ
２５は補強リング
２６は緊合部
２７はリング
２８は羽スプリング
２９は磁石
３０は鉄片
【図１】
2004148711.tif 000003
【図２】
2004148711.tif 000004
【図３】
2004148711.tif 000005
【図４】
2004148711.tif 000006
【図５】
2004148711.tif 000007
【図６】
2004148711.tif 000008